(57)【要約】【課題】印刷装置に容易に装着することができる容器、容器に取り付けられるリーフレットラベルを提供する。【解決手段】液体を噴射して印刷する印刷装置に液体に関する情報が記載されたリーフレットラベル３５を保持した状態で装着可能な容器２５であって、本体部と、本体部に接続された準本体部と、本体部と準本体部とを分離可能な分離部とを備えるリーフレットラベル３５の本体部が取り付けられている。【選択図】図２
2017007139.tif 000002
【特許請求の範囲】
【請求項１】
液体を噴射して印刷する印刷装置に前記液体に関する情報が記載されたリーフレットラベルを保持した状態で装着可能な容器であって、
本体部と、
該本体部に接続された準本体部と、
前記本体部と前記準本体部とを分離可能な分離部と
を備える前記リーフレットラベルの前記本体部が取り付けられていることを特徴とする容器。
【請求項２】
前記準本体部は、前記本体部よりも大きいことを特徴とする請求項１に記載の容器。
【請求項３】
前記準本体部は、展開状態から重畳可能であることを特徴とする請求項１又は請求項２に記載の容器。
【請求項４】
前記本体部には、前記液体に関する重要事項が記載され、
前記準本体部には、前記液体に関する準重要事項が記載されることを特徴とする請求項１〜請求項３のうち何れか一項に記載の容器。
【請求項５】
液体を噴射して印刷する印刷装置に装着可能な容器に前記液体に関する情報が記載された状態で取り付けられるリーフレットラベルであって、
前記容器に取り付けられる本体部と、
該本体部に接続された準本体部と、
前記本体部と前記準本体部とを分離可能な分離部と
を備えることを特徴とするリーフレットラベル。
【発明の詳細な説明】
【技術分野】
【０００１】
本発明は、リーフレットラベルが取り付けられた容器、容器に取り付けられるリーフレットラベルに関する。
【背景技術】
【０００２】
従来から、情報が記載された長尺状のラベルを折り畳んだリーフレットラベルが知られている（例えば特許文献１）。
このリーフレットラベルは、商品（容器）に貼着された袋状の収容部に収容されている。
【先行技術文献】
【特許文献】
【０００３】
【特許文献１】特開２００８−１４５５５３号公報
【発明の概要】
【発明が解決しようとする課題】
【０００４】
ところで、こうしたリーフレットラベルは、折り畳まれていないラベルに比べて、折り畳みにより重畳している分だけ厚みを有している。そのため、例えば印刷装置に装着可能な容器に収容部を貼着し、さらにこの収容部にリーフレットラベルを収容すると、膨らんだ収容部が容器を印刷装置に装着する際の妨げとなる虞があった。
【０００５】
本発明は、こうした実情に鑑みてなされたものであり、その目的は、印刷装置に容易に装着することができる容器、容器に取り付けられるリーフレットラベルを提供することにある。
【課題を解決するための手段】
【０００６】
以下、上記課題を解決するための手段及びその作用効果について記載する。
上記課題を解決する容器は、液体を噴射して印刷する印刷装置に前記液体に関する情報が記載されたリーフレットラベルを保持した状態で装着可能な容器であって、本体部と、該本体部に接続された準本体部と、前記本体部と前記準本体部とを分離可能な分離部とを備える前記リーフレットラベルの前記本体部が取り付けられている。
【０００７】
この構成によれば、容器に取り付けられたリーフレットラベルを本体部と準本体部とに分離することができる。すなわち、準本体部を本体部から分離させると、準本体部の分だけリーフレットラベルの大きさを小さくすることができる。例えば、本体部に準本体部が折り畳まれた状態で重なっている場合には、分離された準本体部の分だけリーフレットラベルの厚みを薄くすることができる。したがって、容器を印刷装置に装着するときには、準本体部を本体部から分離させれば、リーフレットラベルの本体部を保持した状態の容器を印刷装置に容易に装着することができる。
【０００８】
上記容器において、前記準本体部は、前記本体部よりも大きいのが好ましい。
この構成によれば、準本体部を本体部よりも大きくすることにより、本体部と準本体部とに分離する前段階のリーフレットラベルにおいて、情報を記載可能なスペースを容易に確保することができる。
【０００９】
上記容器において、前記準本体部は、展開状態から重畳可能であるのが好ましい。
この構成によれば、準本体部を重畳することができるため、例えば準本体部の大きさを大きくしても、この準本体部と本体部とが分離される前段階のリーフレットラベルを容易にまとめることができる。
【００１０】
上記容器において、前記本体部には、前記液体に関する重要事項が記載され、前記準本体部には、前記液体に関する準重要事項が記載されるのが好ましい。
この構成によれば、本体部と準本体部とを分離しても、重要事項が記載された本体部を容器に残すことができる。
【００１１】
また、上記課題を解決するリーフレットラベルは、液体を噴射して印刷する印刷装置に装着可能な容器に前記液体に関する情報が記載された状態で取り付けられるリーフレットラベルであって、前記容器に取り付けられる本体部と、該本体部に接続された準本体部と、前記本体部と前記準本体部とを分離可能な分離部とを備える。
【００１２】
この構成によれば、上記容器と同様の効果を奏し得る。
【図面の簡単な説明】
【００１３】
【図１】容器の一実施形態について、印刷装置に装着された状態を示す模式図。
【図２】リーフレットラベルが取り付けられた容器の斜視図。
【図３】リーフレットラベルの模式図。
【図４】変形例のリーフレットラベルの模式図。
【図５】取付部と本体部の模式図。
【発明を実施するための形態】
【００１４】
以下、液体を噴射して印刷する印刷装置に装着可能な容器の一実施形態について、図を参照して説明する。なお、例えば、印刷装置は液体の一例であるインクを噴射して媒体に印刷を行うインクジェット式のプリンターであり、容器は印刷装置に装着されるインクカートリッジである。
【００１５】
図１に示すように、印刷装置１１は、有底箱状のフレーム１２と、フレーム１２内に設けられて媒体１３を支持する支持部材１４と、フレーム１２の長手方向に延びるガイド部材１５とを備えている。そして、ガイド部材１５には、キャリッジ１６が往復移動可能に支持されている。さらに、キャリッジ１６には、液体を噴射して印刷を行う印刷部１７が設けられている。
【００１６】
また、フレーム１２には、駆動プーリー１９及び従動プーリー２０が回転自在な状態で支持されている。さらに、駆動プーリー１９には、キャリッジ１６を往復移動させる際の動力源となるキャリッジモーター２１の出力軸が連結されている。そして、駆動プーリー１９と従動プーリー２０には、無端状のタイミングベルト２２が掛け渡されている。そのため、キャリッジモーター２１の駆動力がタイミングベルト２２を通じてキャリッジ１６に伝達されると、キャリッジ１６と印刷部１７とが走査方向Ｘに沿って往復移動する。
【００１７】
さらに、印刷装置１１は、媒体１３を搬送する搬送ユニット２３を備えている。すなわち、媒体１３は、搬送ユニット２３の駆動に伴って、走査方向Ｘと交差（好ましくは、直交）する搬送方向Ｙに搬送される。
【００１８】
また、フレーム１２の一端部には、印刷部１７のメンテナンスを行うためのメンテナンス部２４が設けられていると共に、他端部には、少なくとも１つ（本実施形態では４つ）の容器２５を装着可能な装着部２６が設けられている。そして、装着部２６には、この装着部２６に装着された容器２５に収容された液体を印刷部１７へ供給するためのチューブ２７が接続されている。
【００１９】
図２に示すように、容器２５は略直方体形状をなす合成樹脂製のケース２９と、液体を収容可能な収容部３０と、収容部３０に収容された液体を外部に導出可能な導出部３１とを備えている。すなわち、収容部３０と導出部３１は、ケース２９内に収容され、このケース２９により保護されている。さらに、容器２５には、装着部２６に設けられた検出ロッド（図示略）が挿入される液量検出孔３２が形成されていると共に、基板３３が取り付けられている。なお、検出ロッドは、液量検出孔３２に挿入されることにより、収容部３０に収容された液体の量を検出する。
【００２０】
また、容器２５の長手方向において、導出部３１が設けられた側とは反対側の端部には、容器２５を把持し易くする取っ手３４が容器２５の両側面に凹み形成されている。さらに、容器２５の側面には、収容する液体に関する情報が記載されたリーフレットラベル３５が取り付けられている。
【００２１】
図３に示すように、リーフレットラベル３５は、容器２５に取り付けられる本体部３７と、本体部３７に接続された準本体部３８と、本体部３７と準本体部３８とを分離可能な分離部３９とを備えている。なお、本実施形態の分離部３９は、本体部３７と準本体部３８との間に入れられたミシン目である。換言すると、本体部３７と準本体部３８は、分離部３９を境として、裏面に接着材が付着されて容器２５に接着可能な本体部３７と、接着材が付着されておらず、容器２５に接着されない準本体部３８とに分かれている。
【００２２】
なお、準本体部３８は、本体部３７よりも大きい。すなわち、リーフレットラベル３５の長手方向において、展開された準本体部３８の大きさは、本体部３７の大きさよりも大きく、準本体部３８の面積は本体部３７の面積よりも大きい。さらに、準本体部３８は、表裏両面に情報を記載可能である。そのため、準本体部３８は、本体部３７に比べて情報を記載可能なスペースが広い。
【００２３】
また、本体部３７の表面には、容器２５に収容される液体に関する重要事項が記載され、準本体部３８には、この液体に関する準重要事項が記載されている。なお、重要事項及び準重要事項は、シンボル、マーク、ピクトグラムなどの絵や記号、さらに文字などにより記載される。また、重要事項は、容器２５に残すのが好ましいもしくは残さなければならない事項であり、準重要事項は、容器２５と分離されても問題のない事項である。具体的には、例えば重要事項には、液体に含まれる化学品の名称、危険有害性を示す絵表示４０、危険や警告などの注意喚起語４１、危険有害性情報、安全対策や応急処置などの注意書き、供給者を特定する情報などが含まれる。そして、例えば準重要事項には、重要事項の説明、印刷装置１１への液体の供給もしくは印刷装置１１との液体の受け渡し方法や容器２５の装着方法の説明、さらにこれらの翻訳などが含まれる。
【００２４】
また、リーフレットラベル３５は、長尺状のラベルであって、準本体部３８は、少なくとも１つ（本実施形態では３つ）の折り目４２を有している。そして、リーフレットラベル３５は、折り目４２で山折と谷折を交互に行って蛇腹状に折り畳むことにより、準本体部３８が、長尺状の展開状態から複数の折り畳み片が重畳された状態で容器２５に取り付けられている。ちなみに、重畳された複数の折り畳み片の一枚ずつには、同じ内容の準重要事項が各々異なる言語表記で記載されている。
【００２５】
次に、容器２５を印刷装置１１に装着する場合の作用について説明する。
図２に示すように、重畳されたリーフレットラベル３５は、容器２５の側面から突出して取り付けられている。そのため、リーフレットラベル３５が取り付けられたままの容器２５を装着部２６に装着すると、隣り合う容器２５同士、もしくは装着部２６にリーフレットラベル３５が当たり、容器２５の装着が阻害されてしまう。
【００２６】
そこで、ユーザーは、容器２５を印刷装置１１に装着する前に、本体部３７から準本体部３８を分離させる。具体的には、分離部３９の一例であるミシン目に沿って本体部３７と準本体部３８とを切り離す。すると、容器２５には、本体部３７が残り、切り離した準本体部３８の分だけリーフレットラベル３５の厚みが薄くなる。そして、ユーザーは、リーフレットラベル３５の本体部３７を保持した状態の容器２５を装着部２６に装着する。
【００２７】
すなわち、容器２５は、導出部３１が設けられた側が奥に位置するように、導出部３１側から装着部２６に差し込まれることで装着部２６に装着される。そして、容器２５が装着部２６に装着されると、液量検出孔３２に装着部２６側の検出ロッドが挿入される。さらに、容器２５は、装着部２６に設けられた接続部（図示略）により導出部３１とチューブ２７とが接続される。すると、容器２５の収容部３０に収容された液体が印刷装置１１に供給され、印刷装置１１は、容器２５から供給された液体を印刷部１７から噴射して媒体１３に印刷を行う。
【００２８】
上記実施形態によれば、以下のような効果を得ることができる。
（１）容器２５に取り付けられたリーフレットラベル３５を本体部３７と準本体部３８とに分離することができる。すなわち、準本体部３８を本体部３７から分離させると、準本体部３８の分だけリーフレットラベル３５の大きさを小さくすることができる。例えば、本体部３７に準本体部３８が折り畳まれた状態で重なっている場合には、分離された準本体部３８の分だけリーフレットラベル３５の厚みを薄くすることができる。したがって、容器２５を印刷装置１１に装着するときには、準本体部３８を本体部３７から分離させれば、リーフレットラベル３５の本体部３７を保持した状態の容器を印刷装置１１に容易に装着することができる。
【００２９】
（２）準本体部３８を本体部３７よりも大きくすることにより、本体部３７と準本体部３８とに分離する前段階のリーフレットラベル３５において、情報を記載可能なスペースを容易に確保することができる。
【００３０】
（３）準本体部３８を重畳することができるため、例えば準本体部３８の大きさを大きくしても、この準本体部３８と本体部３７とが分離される前段階のリーフレットラベル３５を容易にまとめることができる。
【００３１】
（４）本体部３７と準本体部３８とを分離しても、重要事項が記載された本体部３７を容器２５に残すことができる。
なお、上記実施形態は以下のように変更してもよい。
【００３２】
・図４に示すように、リーフレットラベル４４は、少なくとも１つ（図４では１つ）の本体部４５と少なくとも１つ（図４では２つ）の準本体部４６とが穴４７に通された紐状の分離部４８により接続されていてもよい（変形例）。すなわち、分離部４８を切る、もしくは外すことにより本体部４５と準本体部４６とを分離させてもよい。そして、図５に示すように、リーフレットラベル４４もしくは本体部４５は、袋状の取付部４９に収容されることで容器２５に取り付けられてもよい。なお、この取付部４９は、例えば可撓性を有する２枚の透明部材同士を接合することにより形成され、取付部４９が容器２５に取り付けられる。
【００３３】
また、図５に網掛けで示す接合部５０は、リーフレットラベル４４及び本体部４５の差込方向において、取付部４９の差込口５１側の端から離れているのが好ましい。すなわち、接合部５０を差込口５１側の端まで設けていないため、差込口５１側の透明部材を曲げることができる。したがって、リーフレットラベル４４及び本体部４５の抜き差しをし易くすることができる。また、取付部４９は、１枚の透明部材を容器２５に直接接着してもよい。すなわち、この透明部材と容器２５の側面とにより取付部を構成してもよい。なお、本体部４５と準本体部４６は、穴４７に挿通される任意の部材によって接続されていてもよい。すなわち、例えば、分離部４８は、糸、針金、結束バンド、チェーン、ゴム、カブトピンや安全ピンなどの環状のピン、直状のピンが設けられたプレートと留め具とで構成されるピンズ、丸かん、二重かん、リベット、ハトメなどで本体部４５と準本体部４６を分離可能に接続してもよい。また、準本体部４６は１つでもよく、準本体部４６が折り目を有していてもよい。複数の準本体部４６同士が接続された状態で、さらに準本体部４６と本体部４５とを接続してもよい。
【００３４】
・上記実施形態及び変形例において、分離部３９，４８は、はさみやナイフなどの道具を使って分離可能としてもよい。例えば、切り取る位置を示す切り取り線や、切り取り領域を分離部３９，４８としてもよい。また、本体部３７，４５と準本体部３８，４６をステープラーやクリップによって綴じることで接続し、ステープラーの針やクリップなどの綴じ具を分離部３９，４８としてもよい。本体部４５と準本体部４６の端部もしくは一部を接着し、準本体部４６を分離部の一例である接着部から剥がすことで分離してもよい。分離部３９は、幅を有していてもよく、例えば帯状部分を切り取ることで本体部３７と準本体部３８とを分離してもよい。
【００３５】
・上記実施形態において、本体部３７は、裏面全体ではなく裏面の一部に接着材が付着しているだけでもよい。また、準本体部３８に接着材を付着させてもよい。なお、準本体部３８に付着させる接着材は、本体部３７に付着させる接着材よりも接着力が弱いものが好ましい。
【００３６】
・上記実施形態において、粘着材により本体部３７を容器２５に取り付けてもよい。本体部３７を容器２５に溶着して取り付けてもよい。容器２５に付着した接着材により本体部３７を容器２５に取り付け、本体部３７には接着材を付着しなくてもよい。接着材や粘着材が付着した別部品（例えばテープ）により本体部３７を容器２５に取り付けてもよい。
【００３７】
・上記実施形態及び変形例において、本体部３７，４５に準重要事項を記載してもよい。また、準本体部３８，４６にも重要事項を記載してもよい。
・上記実施形態及び変形例において、準本体部３８，４６は、展開状態から円筒状に巻き取ることで重畳させてもよい。さらに、準本体部３８の折り目４２で同じ折り方をすることで、準本体部３８を幅を持たせて巻き取ってもよい。また、変形例のように複数の準本体部４６を重ねることで重畳してもよい。なお、準本体部３８の折り目４２は互いに交差していてもよい。すなわち、準本体部３８は、長手方向に折り畳むだけではなく、短手方向にも折り畳んでよい。
【００３８】
・上記実施形態及び変形例において、本体部３７，４５と準本体部３８，４６の大きさは同じであってもよい。また、準本体部３８，４６は、本体部３７，４５よりも小さくてよい。さらに、リーフレットラベル３５は、長手方向と短手方向の少なくとも一方の準本体部３８の大きさが、本体部３７よりも大きくてもよい。
【００３９】
・上記実施形態及び変形例において、リーフレットラベル３５，４４は、容器２５の任意の位置に取りつけることができる。例えば、ケース２９において最も面積が広い面、容器２５を印刷装置１１に装着した場合でも視認可能な面に取り付けてもよい。また、リーフレットラベル３５，４４を複数の面に渡って取り付けてもよい。１つの容器２５に対して複数のリーフレットラベル３５，４４を取り付けてもよい。
【００４０】
・上記実施形態及び変形例において、容器２５には、任意の液体を収容することができる。例えば、液体は、媒体１３に付着することでこの媒体１３に印刷することができるインクや、印刷された媒体１３を覆うコート材、チューブ２７や印刷部１７の洗浄や保湿などのメンテナンスに使用するメンテナンス液としてもよい。例えば、インクは、顔料や金属粒子などの固形物からなる機能材料の粒子が溶媒に溶解、分散又は混合されたものなども含み、水性インク、油性インク、ジェルインク、ホットメルトインク等の各種組成物を包含するものとする。
【００４１】
・上記実施形態及び変形例において、容器２５は、複数の収容部３０と、各収容部３０と対応する複数の導出部３１を備えていてもよい。そして、各収容部３０には、異なる種類（例えば異なる色）の液体を収容してもよい。
【００４２】
・上記実施形態及び変形例において、容器２５は、収容部３０と外部とを連通させる連通孔を有し、この連通孔から収容部３０に液体を補充可能としてもよい。また、容器２５は、印刷装置１１に装着されることで印刷装置１１から取り外しできない容器としてもよい。そして、収容部３０や、印刷装置１１に装着された容器の収容部に補充する液体を収容した補充用の容器（例えば、詰め替えパックや詰め替えボトル）にリーフレットラベル３５，４４を取り付けてもよい。すなわち、容器自体は印刷装置１１に装着されず、直接もしくは間接的に印刷装置１１に液体を供給可能であってもよい。換言すると、液体を噴射して印刷する印刷装置に液体を供給可能な容器、もしくは印刷装置と液体を受け渡し可能な容器にリーフレットラベル３５，４４を取り付けてもよい。なお、例えばリーフレットラベル３５，４４が取り付けられた補充用の容器から収容部への補充作業を狭いスペースで行う場合、厚みを有するリーフレットラベル３５，４４が取り付けられていると、液体の補充作業を阻害してしまう虞がある。そこで、補充作業を行う前にリーフレットラベル３５，４４から準本体部３８，４６を分離させてもよい。すなわち、リーフレットラベル３５，４４を準本体部３８，４６の分だけ小さくすることができるため、例えば狭いスペースでの補充作業を容易にすることができる。また、容器２５は、ケース２９を備えていなくてもよい。例えば、ボトル、パウチパック、紙パック、袋、カン、ビンなどを容器としてもよい。
【００４３】
・上記実施形態及び変形例において、容器は、印刷装置１１から排出された液体を受容可能な廃液タンクとしてもよい。そしてこの廃液タンクは、印刷装置１１に対して着脱可能に装着されてもよい。すなわち、例えばリーフレットラベル３５，４４を廃液回収前の廃液タンクに取り付けておき、準本体部３８，４６を分離させて本体部３７，４５が残ったリーフレットラベル３５，４４を保持した状態で廃液タンクを印刷装置１１に装着してもよい。
【００４４】
・リーフレットラベル３５，４４は、紙、樹脂、布、自然素材（木材や石など）や、これらの複合体としてもよい。さらに、リーフレットラベル３５の形状は、矩形や円形など任意の形状であってよい。
【００４５】
・印刷装置１１は、媒体１３にインクなどの液体を付着させることにより文字や絵、写真などの画像を印刷する装置であって、シリアルプリンター、ラテラル式プリンター、ラインプリンター、ページプリンターなどとしてもよい。また、オフセット印刷装置、捺染印刷装置などとしてもよい。また、印刷装置は、少なくとも媒体に印刷する印刷機能を有していればよく、印刷機能以外の機能も併せ持つ複合機としてもよい。さらに、印刷装置は、２次元の媒体に限らず３次元の曲面を有する媒体に印刷する装置であってもよい。
【符号の説明】
【００４６】
１１…印刷装置、２５…容器、３５，４４…リーフレットラベル、３７，４５…本体部、３８，４６…準本体部、３９，４８…分離部。
【図１】
2017007139.tif 000003
【図２】
2017007139.tif 000004
【図３】
2017007139.tif 000005
【図４】
2017007139.tif 000006
【図５】
2017007139.tif 000007